(57)【要約】【課題】  装置の動作仕様条件情報（仕向け先国情報、各国の事情に沿ったスペック（ファン回転数、印字速度、スタンバイ時消費電力等）、デフォルトの用紙設定、操作パネルのデフォルトフォント等の情報）をＲＦＩＤに書き込み、ユーザ設置時に動作仕様条件に応じて動作する電子装置において、装置を小型化し、ＲＦＩＤ受信能力のアップ、リサイクル時の分別容易性のアップを図る。【解決手段】  装置内で外装近くに設定される電子部品（モータ等のアクチュエータ、操作パネル、インターロックスイッチ、排紙センサ等の部品）の電気回路基板上に、ＲＦＩＤ用ＩＣを実装し、ＲＦＩＤ用アンテナ部を電子部品樹脂部などに構成する【選択図】  図１
2009043071.tif 000002
【特許請求の範囲】
【請求項１】
電子装置は、無線通信ICタグを有し、
前記無線通信ICタグは、無線通信アンテナ部と、変調回路と記憶手段を含む無線通信IC部から構成され、
前記無線通信IC部は、前記電子装置の機能を実現するのに必要な電子部品を構成するICとともに前記電子部品内に実装され、
前記無線通信アンテナ部は、前記電子部品の絶縁体部、もしくは磁性体部に付加され、前記無線通信アンテナ部と前記無線通信ICとが接続され、かつ、前記電子部品を構成するICとともに、前記電子装置のシーケンスを司る電子装置制御部と接続され、通信可能な構成であって、
前記無線通信ICタグの記憶領域には、少なくとも電子装置の動作仕様に関する情報が記憶され、
前記電子装置の生産工場からの出荷時、あるいは販売店からの出荷時に、前記無線通信ICタグに前記電子装置の動作仕様に関する情報を書き込み、
ユーザ設置後の電源投入時に、前記無線通信ICタグに書き込まれた動作仕様情報を、前記電子装置制御部が読み取り、読み取った動作仕様情報に応じて、前記電子装置を動作させることを特徴とする電子装置。
【請求項２】
前記無線通信ICタグの記憶手段において、前記電子装置の動作仕様条件を記憶する記憶領域は、一度だけ書き込むことが可能なワンタイムの不揮発性記憶手段を有し、
前記電子装置は、電源が投入された時に、前記電子装置制御部記憶手段に、前記動作仕様条件が記憶されていない場合に限り、前記無線通信ICタグの動作仕様条件を読み込む構成であることを特徴とする請求項１に記載の電子装置。
【発明の詳細な説明】
【技術分野】
【０００１】
本発明は、電子装置の動作仕様の情報を、IEC15693に準じたRFID (Radio Frequency IDentification)、非接触ICタグ、無線ICタグと呼ばれる小型化されたICに記憶させ、その無線ICタグを電子ユニット部品に組み込むものである。
電子装置の動作仕様情報とは、例えば、仕向け先国情報、各国の事情に沿ったスペック(ファン回転数、印字速度、スタンバイ時消費電力等) 、デフォルトの用紙設定、操作パネルのデフォルトフォント等のことである。
【０００２】
本発明における電子ユニット部品とは、特に、モータ等のアクチュエータ、操作パネル、インターロックスイッチ、排紙センサ等の部品であり、制御用の基板上に実装されずに、外装近くに単体で配置される部品のことである。
【背景技術】
【０００３】
電子装置の仕様条件を設定するには、特許文献１のように、工場の生産ラインで、電子装置に電源を投入している時にインターフェースによりPC等と接続して、電子装置内部の不揮発性メモリ等に書き込む作業を行うことが提案されていた。
【０００４】
特許文献２では、無線ICタグを用いて、プログラムの書き込みを行うことが提案されていた。
【特許文献１】特開２００４−１８６７９５号公報
【特許文献２】特開２００３−２１６４５０号公報
【発明の開示】
【発明が解決しようとする課題】
【０００５】
特許文献1によれば、電子装置に電源を投入した状態で、動作仕様条件をメモリに書き込まなければならず、梱包した後での仕様設定においては、開梱して電源を入れる作業が必要となっていた。
【０００６】
特許文献2において、無線ICタグを用いるために、出荷時の仕様設定の作業性は改善されたものの、以下の問題があった。
【０００７】
（1） 無線ICタグは、金属板近傍に平行して設置されると受信能力が低下する。
【０００８】
(2) アンテナ部分の面積が大きい為、電子装置内で設置スペースを確保することが難しい。
【０００９】
(3) 電子装置のリサイクル時に、無線ICタグの分別が難しい。
【００１０】
(4) 装置使用時に、外部からの誤った情報が書き込まれ誤動作しないような対策が必要であった。
【課題を解決するための手段】
【００１１】
本発明によれば、
電子部品ユニットの実装基板に、無線ICタグのIC部分を実装して、電子部品ユニットの外装部分に、無線ICタグのアンテナ部分を付加することにより、
（1）外装近くに配置される電子部品ユニットに固定される為、受信能力の低下が少ない。
【００１２】
（2）新たな設置スペースを確保することがなくなる。
【００１３】
（3）電子部品ユニットごと、取り外し、電子部品としてリサイクルするので、分別が簡略化される。
【００１４】
（4）無線ICタグへアクセスを一度だけに限定することが可能であり、誤動作を防止することができる。
【発明の効果】
【００１５】
以上、説明したように、本発明によれば、無線ICタグを、外装近くに設置される既存の電子部品に組み込み、さらに無線ICタグのIC部分を電子部品の電気回路基板上に実装し、無線ICタグのアンテナ部分を電子部品の周りに構成することで、
（1）外装近くに配置される電子部品ユニットに固定される為、受信能力の低下が少なく、
（2）新たな設置スペースを確保することがなく、
（3）電子部品ユニットごと、取り外し、電子部品としてリサイクルするので、分別が簡略化される。
【００１６】
（4）さらに、無線ICタグの動作仕様条件を記憶するメモリ領域を、一度だけ書き込み可能なメモリ領域とすることで、誤動作を極力少なくできる。
【発明を実施するための最良の形態】
【００１７】
次に、本発明の詳細を実施例の記述に従って説明する。
【実施例１】
【００１８】
図１、図２、図６は第1の実施例を示すものである。
【００１９】
図３は、本実施例を説明するための一般的なレーザビームプリンタを示すものである。
【００２０】
図１は、電気ブロックを説明する概念図、図２は、具体的に電子部品ユニットに無線ICタグを組み込んだ例を示すものである。
【００２１】
図６は、生産から出荷、ユーザ設置、リサイクルまでの製品フローを説明するものである。
【００２２】
図１において、101は、電子装置であり、110は、無線ICタグに装置の仕様情報を書き込む為のリーダ/ライタである。102は、電子装置に設置されている電子部品ユニットであり、電子部品ユニット102には、電子部品を駆動制御する為の電子部品制御部112が含まれている。さらに、電子部品ユニット102には、無線ICタグが付加されている。104と105と103は、無線IC タグを構成するものであり、103はアンテナで、無線ICタグのリーダ110からの電力供給と電子装置仕様情報を受信する為のものであり、無線ICタグ104は、変調手段(不図示)などと、105の記憶手段から構成され、アンテナ103から受信した情報を記憶手段105に記憶する。
【００２３】
無線ICタグ104と、電子部品制御部112とは、電子装置のシーケンスを制御する電子装置制御部106に電気的に接続され、装置の電源が投入されているときに通信が行われる。
【００２４】
図６は、装置の組み立て、販売店、ユーザ、リサイクルセンタまでのフローを説明するものである。601において、工場の本体組み立てのラインで、無線ICタグを搭載した電子部品が組み付けされる。電源が投入され、各機能の評価、出荷検査が行われた後に、電源がオフされ、ビニィール袋などで包まれ、梱包され、各販売拠点に輸送される。
【００２５】
607では、ユーザからの受注に応じて、ビニィール袋に覆われたままの製品外部より、電源を入れることなく、無線ICタグへ、動作仕様条件を書き込み、その後、製品とマニュアル等を同梱し、個装後ユーザへ出荷される。
【００２６】
613では、ユーザによる装置の設置が行われ、装置の電源が始めて投入された時に、無線ICタグに記憶された動作条件を、装置の制御部が読み取り、制御部内の不揮発性メモリ等に記憶する。その後は、制御部内の不揮発性メモリの動作条件に応じて、動作する。
【００２７】
ここで、無線ICタグ内のメモリは、ワンタイムライトメモリであり、電子装置は、616,623,624,617に示すように電源投入時に、制御部内の不揮発性メモリに動作条件が書き込まれていない場合にのみ、無線ICタグにアクセスを行う構成となっている。
【００２８】
618は、装置が処分され、リサイクルセンタに送られた時を示している。リサイクルセンタでは、装置の外装等を外して、次に電子制御基板、ファンモータ、モータ、操作パネル等の各電子部品を取り除き、所定の処理ルーティンで解体等が行われる。
【００２９】
ここで、無線ICタグは、電子部品に組み込まれている為に、確実に取り外され、マテリアルリサイクル等の処理に誤って混入することを防ぐことができる。
【００３０】
図３は、レーザビームプリンタを説明するものであり、レーザビームプリンタ内部にある電子部品を示す。
【００３１】
レーザビームプリンタは、周知の電子写真プロセスにより、トナーを用紙に転写し、加熱定着器によりトナーを用紙に定着されるものである。レーザビームプリンタには、図３に示すように、制御基板301の他に、302のファンモータ、303の用紙搬送用モータ、311の操作パネル、310の用紙先端を検知するためのセンサ、305のレーザ基板などから構成される。ここでは、301の制御基板は、装置の底面に配置され、金属板金に覆われる構成となっている。先に挙げた電子部品は、近傍に大きな金属板がないことと、プリンタの外装近くに配置されることが特徴の電子部品である。
【００３２】
本第1の実施例では、図３の302のファンモータに、無線ICタグを組み込む例を示すものである。
【００３３】
図２は、レーザビームプリンタの内部で、各部品を冷却する為に設置されたファンモータである。201はファンモータのケースであり、203はインペラである。ファンモータは、その中央部に電気回路基板205が配置され、ファンモータを駆動する為の駆動IC206が実装さる。同時に、無線ICタグのIC207も、ファンモータ内の電気回路基板上に実装され、リード部208を介して、無線ICタグのアンテナ部211に接続される。209は、レーザビームプリンタと電気回路基板とを電気的に接続する為のコネクタと電線である。電線には、電源ラインと、ファンモータの駆動信号、ファンモータのロック検知信号、と無線ICタグとの通信ライン等から構成される。
【００３４】
本第1の実施例では、レーザビームプリンタ内部で使用され、外装近くに設置されている電子部品であるファンモータに無線ICタグを組み込んだ例を示した。
【００３５】
ファンモータの樹脂ケースにアンテナを、ファンモータ駆動電気回路基板上に無線ICタグ用のICを実装することで、新たにスペースを設けることもなく、受信能力を落とすことなく、無線ICタグにアクセスすることができる。
【実施例２】
【００３６】
図４は第２の実施例を示すものである。
【００３７】
図３のレーザビームプリンタにおいて、レーザユニット305からのレーザ光を光走査するためのポリンゴンモータ304に無線ICタグを組み込んだ例を示すものである。
【００３８】
図４において、407は、ロータであり、408はレーザ光を反射する為のミラーであり、404はポリンゴンモータを回転させる為の駆動用ICであり、403は無線ICタグ用のICである。電気回路基板401は、片面の紙フェノール等の絶縁材料からなり、回路基板の外周にアンテナ用パターン402が形成されている。アンテナパターン402は、無線ICタグ用ICに接続されている。ポリンゴンモータの制御信号、電源ライン、無線ICタグ用信号線は、コネクタ405、電線406を介して、レーザビームプリンタの制御基板301に接続される。ポリンゴンモータは、装置の最上部に構成されることが多く、製品梱包時に上部から無線ICタグにアクセスする場合は、有効である。
【実施例３】
【００３９】
図５と図７は、第3の実施例を示すものである。
【００４０】
第3の実施例は、図３の操作パネル311に無線ICタグを組み込むものである。
【００４１】
図５は、斜視図であり、図７は、電気ブロック図を示すものである。
【００４２】
図５において、501は操作パネル外形、502はスイッチ、503はLCDであり、508はLCD駆動用ICで、505は、LCDと電気回路基板を接続するFPCである。LCD503上にはITO膜などで形成されたアンテナパターン504が構成される。506は、無線ICタグ、511は操作パネルとコントローラとの通信と、操作パネルの制御を行う通信用ICである。
【００４３】
図７において、701はレーザビームプリンタで、702は操作パネル、706は、外部のパーソナルコンピュータと通信を行い、画像データを展開し、展開された画像データをエンジンコントローラ713へ送出し、画像データに応じて印字動作を行う。710は無線ICタグのリーダライタである。703はLCDで、LCD上には、アンテナパターン719とCOGチップLCDドライバ718が実装されている。712は508の操作パネル制御用IC、717はスイッチマトリックスであり、操作パネル制御IC712と無線ICタグ104は、各々707と708で画像処理コントローラと通信を行うように構成される。
【００４４】
本第3の実施例では、画像処理用コントローラとエンジンコントローラに分離されている構成において、画像処理用コントローラと接続される操作パネルに無線ICタグを組み込むことによって、エンジンコントローラを介すことなく直接通信を行うことができるようにしたものである。
【図面の簡単な説明】
【００４５】
【図１】第1、第2の実施例を説明する電気ブロック図
【図２】第1の実施例を説明する斜視図
【図３】レーザビームプリンタの構成を説明する斜視図
【図４】第2の実施例を説明する斜視図
【図５】第3の実施例を説明する斜視図
【図６】第1、第2、第3図の実施例を説明する製品のフローチャート
【図７】第3の実施例を説明する電気ブロック図
【符号の説明】
【００４６】
104、207,403,506、704  無線ICタグのIC部
103,211,402,504,719  無線ICタグのアンテナ部
102、201,311,304,302,303,305,310401,501,702  無線通信ICが貼付される電子部品
【図１】
2009043071.tif 000003
【図２】
2009043071.tif 000004
【図３】
2009043071.tif 000005
【図４】
2009043071.tif 000006
【図５】
2009043071.tif 000007
【図６】
2009043071.tif 000008
【図７】
2009043071.tif 000009